(57)【特許請求の範囲】
【請求項１】
受診者の受診状況が記録される携帯記録媒体と通信可能な情報処理装置であって、
前記携帯記録媒体に記録された受診者の受診状況を取得する受診状況取得手段と、
前記受診状況取得手段で取得した受診状況を表示制御する表示手段と、
を備え
前記表示制御手段は、前記取得した受診状況が結果待ちである健診科目を識別可能に表示制御することを特徴とする情報処理装置。
【請求項２】
前記受診状況取得手段により取得した受診状況が結果待ちである場合、当該健診科目の健診結果をサーバ装置から取得する健診結果取得手段をさらに備えることを特徴とする請求項1に記載の情報処理装置。
【請求項３】
前記受診状況取得手段により取得した受診状況が結果待ちである場合、当該健診科目の健診結果をサーバ装置から取得するかの選択を受け付ける受付手段をさらに備え、
前記健診結果取得手段は、前記受付手段により健診結果をサーバ装置から取得する旨の選択を受け付けた場合、当該健診科目の健診結果をサーバ装置から取得することを特徴とする請求項２に記載の情報処理装置。
【請求項４】
前記表示制御手段は、前記取得した受診状況に基づき、受診済みである健診科目と、未受診である健診科目と、結果待ちである健診科目とを識別可能に表示することを特徴とする請求項１乃至３のいずれか１項に記載の情報処理装置。
【請求項５】
前記健診結果取得手段により受診状況が結果待ちの健診科目に係る健診結果を取得した場合、当該健診科目の受診状況を受診済みとすることを特徴とする請求項２に記載の情報処理装置。
【請求項６】
受診者の受診状況が記録される携帯記録媒体と通信可能な情報処理装置における情報処理方法であって、
前記情報処理装置の受診状況取得手段が、前記携帯記録媒体に記録された受診者の受診状況を取得する受診状況取得工程と、
前記情報処理装置の表示手段が、前記受診状況取得工程で取得した受診状況を表示制御する表示工程と、
を備え
前記表示制御工程は、前記取得した受診状況が結果待ちである健診科目を識別可能に表示制御することを特徴とする情報処理方法。
【請求項７】
受診者の受診状況が記録される携帯記録媒体と通信可能な情報処理装置を、
前記携帯記録媒体に記録された受診者の受診状況を取得する受診状況取得手段と、
前記受診状況取得手段で取得した受診状況を表示制御する表示手段として機能させ、
前記表示制御手段を、前記取得した受診状況が結果待ちである健診科目を識別可能に表示制御する手段として機能させるためのプログラム。
【発明の詳細な説明】
【技術分野】
【０００１】
本発明は、健診情報処理装置、情報処理方法、プログラムに関する。
【背景技術】
【０００２】
現在、学校や会社等に医師や看護師等の測定者が出張して健康診断を行う、いわゆる出張健診が一般的に行われている。
【０００３】
例えば、従来の出張健診では、測定者が行った健診結果を紙の健康診断票に記入していた。また、近年は情報収集の効率化のため、健康診断票の代わりにＩＣカード等の携帯可能な記録媒体を用いたり、各健診情報処理装置がサーバ装置と通信可能に接続され、サーバ装置に対して記録することが行われている。
【０００４】
特許文献１には、サーバ装置と検査機器が接続された健診システムにおいて、検査結果をサーバ装置に送信し、記憶する仕組みについて記載されている。
【先行技術文献】
【特許文献】
【０００５】
【特許文献１】特開２００６−３２３６３３号公報
【発明の開示】
【発明が解決しようとする課題】
【０００６】
健康診断の項目（健診項目）の中には、身長や体重など受診者自身を測定する項目もあれば、尿検査や血液検査など、受診者から提供された検体を検査する項目もある。
【０００７】
身長や体重などは、計測したその場で健診結果が判明するが、尿検査や血液検査は検査結果が出るまでに時間を要する。
【０００８】
このように、結果が出るまでの時間を要する健診項目については、携帯記録媒体には、当該項目を受診したか否か（検体を提出したか否か）の情報しか記録できず、結果までは登録できなかった。
【０００９】
そこで、本発明は、健診の結果が出るまでに時間を要する健診項目についても、健診結果を携帯記録媒体に記録することが可能な仕組みを提供することを目的とする。
【課題を解決するための手段】
【００１０】
本発明の健診情報処理装置は、健診結果を入力する健診結果入力手段と、前記健診結果入力手段により入力された健診結果をサーバ装置に記録する記録手段と、携帯記録媒体に記録された受診者の受診状況を取得する受診状況取得手段と、前記受診状況取得手段で取得した受診状況に、結果待ちの健診項目があるかを判定する判定手段と、前記判定手段により、結果待ちの健診項目があると判定された場合、当該健診項目の健診結果を前記サーバ装置から取得する取得手段と、を備え、前記記録手段は、さらに、前記取得手段により取得した健診結果を前記携帯記録媒体に記録することを特徴とする。
【００１１】
また、本発明の情報処理方法は、健診情報処理装置における情報処理方法であって、前記健診情報処理装置の健診結果入力手段が、健診結果を入力する健診結果入力工程と、前記健診情報処理装置の記録手段が、前記健診結果入力工程により入力された健診結果をサーバ装置に記録する記録工程と、前記健診情報処理装置の受診状況取得手段が、携帯記録媒体に記録された受診者の受診状況を取得する受診状況取得工程と、前記健診情報処理装置の判定手段が、前記受診状況取得工程で取得した受診状況に、結果待ちの健診項目があるかを判定する判定工程と、前記健診情報処理装置の取得手段が、前記判定工程により、結果待ちの健診項目があると判定された場合、当該健診項目の健診結果を前記サーバ装置から取得する取得工程と、を備え、前記記録工程は、さらに、前記取得工程により取得した健診結果を前記携帯記録媒体に記録することを特徴とする。
【００１２】
また、本発明のプログラムは、健診情報処理装置において実行可能なプログラムであって、前記健診情報処理装置を、健診結果を入力する健診結果入力手段と、前記健診結果入力手段により入力された健診結果をサーバ装置に記録する記録手段と、携帯記録媒体に記録された受診者の受診状況を取得する受診状況取得手段と、前記受診状況取得手段で取得した受診状況に、結果待ちの健診項目があるかを判定する判定手段と、前記判定手段により、結果待ちの健診項目があると判定された場合、当該健診項目の健診結果を前記サーバ装置から取得する取得手段として機能させ、前記記録手段を、さらに、前記取得手段により取得した健診結果を前記携帯記録媒体に記録する手段として機能させることを特徴とする。
【発明の効果】
【００１３】
本発明によれば、健診の結果が出るまでに時間を要する健診項目についても、健診結果を携帯記録媒体に記録することが可能となる。
【図面の簡単な説明】
【００１４】
【図１】本発明の健診情報処理システムの構成例を示す図
【図２】健診情報処理装置１０１、サーバ装置１０２、健診機器１０４、受付端末１０５、管理端末１０６のハードウエア構成の一例を示す図
【図３】健診情報処理装置１０１が実行する処理を示すフローチャート
【図４】健診情報処理装置１０１が実行する健診結果の記録処理を示すフローチャート
【図５】ステップＳ４０８の詳細を示すフローチャート
【図６】検体番号の入力を受け付ける画面の一例を示す図
【図７】受診者選択画面の一例を示す図
【図８】健診結果の入力画面の一例を示す図
【図９】血圧検査において健診情報処理装置１０１の表示部に表示される画面の一例を示す図
【図１０】ステップＳ４０４、Ｓ４０５において健診情報処理装置１０１の表示部に表示される画面の一例を示す図
【図１１】血圧検査において健診情報処理装置１０１の表示部に表示される画面の一例を示す図
【図１２】受診者の健診結果等が登録されたテーブルの一例
【図１３】第２の実施形態において健診情報処理装置１０１とサーバ装置１０２が実行する処理を示すフローチャート
【図１４】第３の実施形態において健診情報処理装置１０１と健診機器１０４が実行する処理を示すフローチャート
【発明を実施するための形態】
【００１５】
図１は本発明における健診情報処理システムの構成の一例を示す図である。
【００１６】
本発明の第１の実施形態における健診情報処理システムは、健診情報処理装置１０１、サーバ装置１０２、携帯記録媒体１０３、健診機器１０４、受付端末１０５、管理端末１０６により構成されている。
【００１７】
健診情報処理装置１０１は、ハンディターミナルやノート型パーソナルコンピュータ、タブレット端末等の情報処理装置であり、サーバ装置１０２や携帯記録媒体１０３と通信可能である。また、健診機器１０４とも通信可能である。
【００１８】
健診情報処理装置１０１は、各健診項目において健診結果の入力を受け付け、当該健診結果をサーバ装置１０２や携帯記録媒体１０３に書き込む機能を備えている。
【００１９】
健診結果の入力方法は、健診機器（身長計や体重計、血圧計など）と通信により入力する方法や、健診情報処理装置１０１のテンキー等を用いて入力する方法などいずれであってもよい。
【００２０】
健診情報処理装置１０１は、健診項目ごとに用意され、それぞれの健診項目の健診機器１０４と通信可能となっている。例えば、血圧を担当する健診情報処理装置１０１は、血圧計と通信可能となっている。これらの設定は、健診を開始する前にいずれの健診項目を担当する装置とするか予め設定されているものとする。
【００２１】
サーバ装置１０２に健診結果を記録する際は、無線や有線により接続された通信を用いて記録する。また、携帯記録媒体１０３に記録する際は、リーダ／ライタなどの携帯記録媒体１０３との通信部を介して記録する。
【００２２】
サーバ装置１０２は、健診情報処理装置１０１から書き込まれた健診結果を管理する機能を備える。
【００２３】
携帯記録媒体１０３は、ＲＦ−ＩＤやＩＣカード、各種メモリカード、ＵＳＢメモリなどデータの記憶／更新が可能で持ち運びが可能な程度に小型な記録媒体である。
【００２４】
携帯記録媒体１０３には、受診者が受診を予定している健診項目や健診結果が記録されている。また、受診者情報（受診者番号や氏名、性別、年齢、生年月日、過去の健診結果など）が記録されている。受診者は、この携帯記録媒体１０３を持ち運びながら、各健診項目を受診し、携帯記録媒体１０３に健診結果を記録しながら健診項目を受診して回る。
【００２５】
健診機器１０４は、身長計や体重計、血圧計などの各健診項目に対応した健診を行う機器である。健診機器１０４は、健診情報処理装置１０１と有線または無線にて通信可能に接続されているものもあれば、接続されていないものもある。通信可能に接続されている場合は、健診機器１０４により測定された健診結果は、通信により健診情報処理装置１０１に入力される。通信可能に接続されていない場合は、健診結果は手入力により健診情報処理装置１０１に入力される。
【００２６】
受付端末１０５は、ハンディターミナルやノート型パーソナルコンピュータ、タブレット端末等の情報処理装置であり、携帯記録媒体１０３と通信可能である。
【００２７】
受付端末１０５には、受診者が受診を予定している健診項目、受診者の受診者番号、氏名、性別、年齢、生年月日、過去の健診結果などの情報が記憶され、当該情報を携帯記録媒体１０３に書き込む機能を備えている。
【００２８】
また、受付端末１０５はサーバ装置１０２とも通信可能である。
【００２９】
管理端末１０６は、受付端末１０５と同様に、ハンディターミナルやノート型パーソナルコンピュータ、タブレット端末等の情報処理装置であり、携帯記録媒体１０３と通信可能である。
【００３０】
管理端末１０６は、携帯記録媒体１０３に記録された健診結果を取得し、受診者が受信を予定していた健診項目をすべて受診したかの確認をする機能等を備えている。
【００３１】
次に、図２を用いて図１に示した健診情報処理装置１０１、サーバ装置１０２、健診機器１０４、受付端末１０５、管理端末１０６のハードウエア構成の一例について説明する。
【００３２】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００３３】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００３４】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００３５】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３６】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００３７】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００３８】
ハードウエア上で動作する各種プログラムは、外部メモリ２１１に記録されており、必要に応じてＲＡＭ２０２にロードされることによりＣＰＵ２０１によって実行されるものである。
【００３９】
プリンタコントローラ２１２は、サーマルドットライン方式プリンタ２１３等の印刷機を制御する。
【００４０】
スキャナコントローラ２１４は、スキャナ２１５等の識別器を制御する。
【００４１】
なお、全ての装置がこれらの構成を備えているわけではなく、必要なものを夫々備えて
いればよい。
【００４２】
図３は、本実施形態において尿検査や血液検査等の検体を検査する項目であって、検査結果が出るまでに時間を要する健診項目を担当する健診情報処理装置１０１が実行する処理を示すフローチャートである。
【００４３】
図３のフローチャートで示す処理は、健診情報処理装置１０１のＣＰＵ２０１が所定の制御プログラムを読み出して実行する処理である。
【００４４】
ステップＳ３０１では、健診情報処理装置１０１のＣＰＵ２０１は、受診者の携帯記録媒体１０３（ＩＣカードなど）を読み取り、受診者情報等を取得する。
【００４５】
ステップＳ３０２では、健診情報処理装置１０１のＣＰＵ２０１は、ステップＳ３０１で取得した受診者情報を表示部に表示する。受診者情報は、前回受診日、受診者番号、氏名、進捗状況・受診予定情報などの情報である。
【００４６】
ステップＳ３０３では、健診情報処理装置１０１のＣＰＵ２０１は、受診者の検体番号を入力する。検体番号の入力は、テンキーを用いて手入力する方法であっても、検体容器に貼付されたバーコードなどを読み取ることで入力する方法であっても、いずれの方法でも良い。
【００４７】
ステップＳ３０４では、健診情報処理装置１０１のＣＰＵ２０１は、ユーザから登録指示を受け付けることに応答して、受診記録を携帯記録媒体１０３に記録する。ここで受診記録とは、ステップＳ３０３で入力を受け付けた検体番号であっても良いし、単に尿検査の受け付けをした旨の情報であってもよい。検体は提出されたが、結果がまだ出ていない（結果待ちの状態である）ことが分かるように情報が登録されれば良い。
【００４８】
ステップＳ３０５では、健診情報処理装置１０１のＣＰＵ２０１は、ユーザから登録指示を受け付けることに応答して、受診記録（検体番号など）をサーバ装置１０２に記録する。
【００４９】
なお、ユーザからの指示は、ステップＳ３０４、Ｓ３０５で別々の指示（携帯記録媒体１０３に記録する旨の指示と、サーバ装置１０２に記録する旨の指示）を受け付けてもよいし、まとめてひとつの指示により、携帯記録媒体１０３とサーバ装置１０２の両方に記録する構成であってもよい。
【００５０】
図６に検体番号の入力を受け付ける画面の一例を示す。図６には、受診者情報と検体番号の入力欄とが表示されている。登録ボタンが押下されると、検体番号が携帯記録媒体１０３およびサーバ装置１０２に記録される。
【００５１】
以上の処理により、受診者が尿検査の検体を提出したことを記録することが可能となる。
【００５２】
次に、ステップＳ３０６〜Ｓ３０９の処理について説明する。
【００５３】
なお、Ｓ３０１〜Ｓ３０５の処理を実行する健診情報処理装置１０１と、Ｓ３０６〜Ｓ３０９の処理を実行する健診情報処理装置１０１とは、同一の装置であっても、異なる装置であっても良い。すなわち、検体番号を携帯記録媒体１０３やサーバ装置１０２に登録する健診情報処理装置と、健診結果をサーバ装置１０２に登録する健診情報処理装置とは異なる装置であっても良い。
【００５４】
ステップＳ３０６では、健診情報処理装置１０１のＣＰＵ２０１は、サーバ装置１０２から受診者の一覧を取得する。ここで取得する受診者一覧は、尿検査について検体は提出されたが、結果が登録されていない受診者の一覧である。すなわち、検体番号だけが登録され、健診結果が登録されていない受診者の一覧である。
【００５５】
図１２にサーバ装置１０２に登録されている受診者一覧および受診者の健診結果が登録されたデータテーブルの一例を示す。
【００５６】
図１２に示すように、受診者番号１２０１、受診者名１２０２、各健診項目の健診結果（１２０３〜１２０７）等が登録されている。
【００５７】
各健診項目の健診結果の項目で、数値が登録されている項目は、受診済みの健診項目であることを示している。例えば健診太郎は「身長／体重」、「腹囲」、「血圧」について受診済みであり、それぞれの健診結果が登録されている。
【００５８】
また、「×」が登録されている健診項目は、受診予定がない項目であることを示している。例えば、観音五郎は血圧検査の予定がないことを示している。
【００５９】
また、「−」が登録されている健診項目は、受診予定はあるがまだ受診していない項目であることを示している。例えば、観音五郎の身長／体重は未受診であることを示している。
【００６０】
また、尿検査については、△が登録されている場合は、検体の提出はしたが、結果がまだ登録されていないことを示している。図１２の例では、観音太郎、観音次郎がその状態である。図７に示す画面でリスト表示される受診者は、尿検査の項目に△が登録されている受診者である。
【００６１】
観音四郎については、尿検査の検査結果が登録されていることを示している。
【００６２】
また、各受診者が携帯する携帯記録媒体１０３には、図１２に示す情報のうち、受診者一人分の情報だけが記録される。例えば観音太郎が携帯する携帯記録媒体１０３には、観音太郎の情報だけが記録されている。
【００６３】
ステップＳ３０７では、健診情報処理装置１０１のＣＰＵ２０１は、ステップＳ３０６で取得した受診者一覧の中から、健診結果を登録する受診者を選択する。
【００６４】
図７は、受診者選択画面の一例を示す図である。図７に示すように、ステップＳ３０６で取得した受診者の受診者番号、受診者名（氏名）、検体番号がリスト表示されている。図７の画面では、受診者番号：１２３５の観音次郎が選択されていることを示す。
【００６５】
図７の画面で受診者が選択され、結果入力ボタンが押下されると、当該受診者の健診結果を入力する画面（図８）へ遷移する。
【００６６】
ステップＳ３０８では、健診情報処理装置１０１のＣＰＵ２０１は、健診結果の入力を受け付ける。
【００６７】
健診結果の入力画面の一例を図８に示す。図８に示す結果登録ボタンが押下されることで、入力された健診結果がサーバ装置１０２に登録される（ステップＳ３０９）。
【００６８】
次に、図４を用いて、サーバ装置１０２から健診結果を取得して携帯記録媒体１０３に記録する処理について説明する。
【００６９】
図４のフローチャートに示す処理は、健診情報処理装置１０１のＣＰＵ２０１が所定の制御プログラムを読み出して実行する処理である。
【００７０】
ステップＳ４０１では、健診情報処理装置１０１のＣＰＵ２０１は、健診情報処理装置１０１のＣＰＵ２０１は、受診者の携帯記録媒体（ＩＣカードなど）を読み取り、受診者情報等を取得する。
【００７１】
ステップＳ４０２では、健診情報処理装置１０１のＣＰＵ２０１は、健診情報処理装置１０１のＣＰＵ２０１は、ステップＳ３０１で取得した受診者情報を表示部に表示する。受診者情報は、前回受診日、受診者番号、氏名、進捗状況・受診予定情報などの情報である。
【００７２】
ステップＳ４０３では、健診情報処理装置１０１のＣＰＵ２０１は、受診記録（検体番号の登録）があり、健診結果が登録されていない健診項目があるかどうかを判断する。すなわち、尿検査や血液検査などの健診項目であって、検体は提出したが健診結果が登録されていない状態（結果待ちの状態）の健診項目があるか否かを判断する。
【００７３】
検体は提出したが健診結果が登録されていない状態の項目がある場合（ステップＳ４０３：ＹＥＳ）は、処理をステップＳ４０４に移行する。
【００７４】
そうではない場合（ステップＳ４０３：ＮＯ）は、処理をステップＳ４０８に移行する。ステップＳ４０３でＮＯと判定される場合としては、例えば、すでに健診結果が登録されている場合や、まだ検体の提出もしていない場合がある。
【００７５】
ステップＳ４０４では、健診情報処理装置１０１のＣＰＵ２０１は、サーバ装置１０２に対して、受診者の健診結果を問い合わせる。
【００７６】
ステップＳ４０５では、健診情報処理装置１０１のＣＰＵ２０１は、サーバ装置１０２に健診結果が登録されているかを判断する。
【００７７】
登録されている場合（ステップＳ４０５：ＹＥＳ）は、処理をステップＳ４０６に移行する。
【００７８】
登録されていない場合（ステップＳ４０５：ＮＯ）は、処理をステップＳ４０８に移行する。
【００７９】
ステップＳ４０６では、健診情報処理装置１０１のＣＰＵ２０１は、サーバ装置１０２から健診結果を取得する。
【００８０】
ステップＳ４０７では、健診情報処理装置１０１のＣＰＵ２０１は、ステップＳ４０６で取得した健診結果を受診者の携帯記録媒体１０３に記録する。
【００８１】
ステップＳ４０８では、健診情報処理装置１０１のＣＰＵ２０１は、当該健診情報処理装置が担当する健診科目の健診処理を行う。ステップＳ４０８の処理の詳細は、図５のフローチャートを用いて説明する。
【００８２】
次に図５を用いて、健診情報処理装置１０１が実行するステップＳ４０８に示す処理の詳細について説明する。
【００８３】
ステップＳ５０１では、健診情報処理装置１０１のＣＰＵ２０１は、健診結果の入力を受け付ける。
【００８４】
健診結果の入力は、健診機器１０４と通信可能に接続されている場合は、健診機器１０４より通信により入力する。
【００８５】
接続されていない場合は、ユーザ（測定者）が健診情報処理装置１０１のテンキーなどを操作することで入力を受け付ける。
【００８６】
ステップＳ５０２では、健診情報処理装置１０１のＣＰＵ２０１は、健診結果を携帯記録媒体１０３に記録する。
【００８７】
ステップＳ５０３では、健診情報処理装置１０１のＣＰＵ２０１は、健診結果をサーバ装置１０２に記録する。
【００８８】
図９は、血圧検査において健診情報処理装置１０１の表示部に表示される画面の一例である。
【００８９】
ここで画面下部の受診状況（進捗状況）を表示する部分について説明する。
【００９０】
「○」が表示されている健診項目は、受診者が受診済みの健診項目である。図９の例では、「身長・体重」、「腹囲」、「視力」について受診済みであることを示している。
【００９１】
網掛け表示されている健診項目は、受診予定がない項目である。図９の例では、「採血
」、「胸部Ｘ線」について受診予定がないことを示している。
【００９２】
「◎」が表示されている健診項目は、現在受診中の健診項目である。図９の例では、「血圧」が受診中の健診項目である。
【００９３】
網掛けされず、印の表示されていない健診項目は、受診予定があり、まだ受診していない健診項目である。
【００９４】
「△」が表示されている健診項目（図８の例では「尿」）については、検体の提出は行ったが、まだ検査結果が出ていない（登録されていない）健診項目を示している。すなわち、ステップＳ４０３でＹＥＳと判定される状態の場合は、尿検査のところに△が表示される。
【００９５】
このように、受診者の受診状況（進捗状況）を健診項目ごとに識別可能に表示することで、受診者や測定者は、今後の健診予定を把握でき、次にどの健診項目を受診すべきかを把握することが可能となる。これにより、測定者は受診者を適切に誘導することが可能となる。
【００９６】
図１０は、ステップＳ４０４、Ｓ４０５において健診情報処理装置１０１の表示部に表示される画面の一例を示す図である。
【００９７】
まずステップＳ４０３においてＹＥＳと判定された場合、サーバへ結果の問い合わせをするか否かの選択を受け付ける。図１０（Ａ）に示す「はい」（１００１）が押下されると、サーバに対する問い合わせを実行する（ステップＳ４０４）。「いいえ」（１００２）が押下された場合は、サーバへの問い合わせは行わない（この場合、図４には不図示であるが、ステップＳ４０４は実行せず、処理をステップＳ４０８に移行する）。
【００９８】
サーバへの問い合わせの結果、検査結果がサーバに登録されている場合（Ｓ４０５：ＹＥＳ）は、図１０（Ｂ）の画面が表示される。そして、携帯記録媒体１０３を健診情報処理装置１０１のリーダ／ライタにかざすことで、検査結果が携帯記録媒体１０３に登録される（Ｓ４０７）。
【００９９】
他方、サーバへの問い合わせの結果、検査結果がサーバに登録されていない場合（Ｓ４０５：ＮＯ）は、図１０（Ｃ）に示す画面が表示される。そして処理をステップＳ４０８に移行する。
【０１００】
図１１は、血圧検査において健診情報処理装置１０１の表示部に表示される画面の一例である。図１１の例では図９とは異なり、尿検査の進捗表示として「○」が表示されている。これは、すでに尿検査の結果が登録されていることを示している。
【０１０１】
すなわち、尿検査の結果が記録された携帯記録媒体１０３を読み取った場合に表示される画面である。
【０１０２】
この場合は、ステップＳ４０３でＮＯと判断されるので、図１０に示す画面は表示されず、ステップＳ４０８の処理（図１１の例では血圧検査にかかる処理）が実行される。
【０１０３】
以上の構成によれば、例えば尿検査のように結果が出るまでに時間がかかる検査においても、結果をサーバ装置１０２に登録し、他の健診項目においてサーバ装置１０２から携帯記録媒体１０３に結果を記録することで、受診者は、再度尿検査を行った場所に戻ることなく、携帯記録媒体１０３に結果を登録することが可能となる。
＜第２の実施形態＞
【０１０４】
次に、図１３を用いて、本発明の第２の実施形態について説明する。
【０１０５】
第２の実施形態では、受診者がＩＣカードなどの携帯記録媒体を持ち運ばず、受診者を識別する情報（受診者番号）のみを持ち運び、健診結果をサーバ装置１０２に記憶する形態である。受診者は、受診者番号をバーコード等の形態で持ち運ぶものとする。
【０１０６】
図１３は、第２の実施形態における情報処理システムが実行する処理を示すフローチャートである。
【０１０７】
ステップＳ１３０１では、健診情報処理装置１０１−ＡのＣＰＵ２０１は、受診者のバーコードを読み込み、受診者番号を取得する。
【０１０８】
ステップＳ１３０２では、健診情報処理装置１０１−ＡのＣＰＵ２０１は、ステップＳ１３０１で取得した受診者番号をサーバ装置１０２に送信することで、受診者情報の取得をサーバ装置１０２に要求する。
【０１０９】
ステップＳ１３０３では、サーバ装置１０２のＣＰＵ２０１は、ステップＳ１３０２で送信された受診者情報取得要求を受信する。
【０１１０】
ステップＳ１３０４では、サーバ装置１０２のＣＰＵ２０１は、ステップＳ１３０３で取得した受診者情報取得要求に含まれる受診者番号から特定される受診者の受診者情報を健診情報処理装置１０１に対して送信する。
【０１１１】
ステップＳ１３０５では、健診情報処理装置１０１−ＡのＣＰＵ２０１は、ステップＳ１３０４でサーバ装置１０２から送信された受診者情報を受信する。
【０１１２】
ステップＳ１３０６では、健診情報処理装置１０１−ＡのＣＰＵ２０１は、ステップＳ１３０５で受信した受診者情報を表示部に表示する。
【０１１３】
ステップＳ１３０７では、健診情報処理装置１０１−ＡのＣＰＵ２０１は、サーバ装置１０２に対して、健診待ちキューに受診者情報の登録を依頼する。
【０１１４】
ステップＳ１３０８では、サーバ装置１０２のＣＰＵ２０１は、ステップＳ１３０７で送信された登録依頼を受信し、健診待ちキューに受診者情報を登録する。
【０１１５】
ステップＳ１３０９では、健診情報処理装置１０１−ＢのＣＰＵ２０１は、サーバ装置１０２から健診待ちキューに登録された受診者情報を取得し、取得した受診者情報を表示する。
【０１１６】
ステップＳ１３１０では、健診機器は検体容器に貼付されたバーコードを読み込む。ここで貼付されたバーコードは、受診者番号を示すバーコードと同一のものである。すなわち、当該検体容器に入った検体がいずれの受診者のものであるかを特定することが可能となる。
【０１１７】
ステップＳ１３１１では、健診機器は、検体の検査を実施する。
【０１１８】
ステップＳ１３１２では、健診機器は、ステップＳ１３１１における検査の結果を健診情報処理装置１０１−Ｂに対して送信する。
【０１１９】
ステップＳ１３１３では、健診情報処理装置１０１−ＢのＣＰＵ２０１は、ステップＳ１３１２で健診機器から送信された健診結果を受信する。
【０１２０】
ステップＳ１３１４では、健診情報処理装置１０１−ＢのＣＰＵ２０１は、ステップＳ１３１３で受信した健診結果をサーバ装置１０２に登録すべく、サーバ装置１０２に対して送信する。
【０１２１】
ステップＳ１３１５では、サーバ装置１０２のＣＰＵ２０１は、ステップＳ１３１４で健診情報処理装置１０１−Ｂから送信された健診結果を受信し、登録する。
＜第３の実施形態＞
【０１２２】
次に、図１４を用いて、本発明の第３の実施形態について説明する。
【０１２３】
第３の実施形態では、サーバ装置１０２を介さず、１台の健診情報処理装置１０１において、健診の受け付け（検体の登録）と結果の記録を行う場合の処理について説明する。
【０１２４】
ステップＳ１４０１では、健診情報処理装置１０１のＣＰＵ２０１は、携帯記録媒体１０３を読み込み、受診者番号を含む受診者情報を取得する。
【０１２５】
ステップＳ１４０２では、健診情報処理装置１０１のＣＰＵ２０１は、ステップＳ１４０１で取得した受診者情報を表示する。
【０１２６】
ステップＳ１４０３では、健診情報処理装置１０１のＣＰＵ２０１は、ステップＳ１４０１で取得した受診者情報を健診待ちキューに登録する。
【０１２７】
ステップＳ１４０４では、健診機器は検体容器に貼付されたバーコードを読み込む。ここで貼付されたバーコードは、受診者番号を示すバーコードと同一のものである。すなわち、当該検体容器に入った検体がいずれの受診者のものであるかを特定することが可能となる。
【０１２８】
ステップＳ１４０５では、健診機器は、検体の検査を実施する。
【０１２９】
ステップＳ１４０６では、健診機器は、ステップＳ１１４０５における検査の結果を健診情報処理装置１０１に対して送信する。
【０１３０】
ステップＳ１４０７では、健診情報処理装置１０１のＣＰＵ２０１は、ステップＳ１４０６において送信された結果を受信する。
【０１３１】
ステップＳ１４０８では、健診情報処理装置１０１のＣＰＵ２０１は、ステップＳ１４０７で受信した健診結果を保存する。この際、どの受診者の健診結果かが特定できるように、受診者番号と対応付けて保存する。
【０１３２】
ステップＳ１４０９では、健診情報処理装置１０１のＣＰＵ２０１は、携帯記録媒体１０３の検知を待機する。携帯記録媒体１０３を検知すると、処理をステップＳ１４１０に移行する。
【０１３３】
ステップＳ１４１０では、健診情報処理装置１０１のＣＰＵ２０１は、検知した携帯記録媒体１０３から受診者情報を取得する。
【０１３４】
ステップＳ１４１１では、健診情報処理装置１０１のＣＰＵ２０１は、ステップＳ１４１０で取得した受診者情報（受診者番号）をもとに、当該受診者の健診結果を検索する。
【０１３５】
ステップＳ１４１２では、健診情報処理装置１０１のＣＰＵ２０１は、ステップＳ１４１１で検索された健診結果を表示する。
【０１３６】
ステップＳ１４１３では、健診情報処理装置１０１のＣＰＵ２０１は、ステップＳ１４１１で検索された健診結果を携帯記録媒体１０３に記録する。
【０１３７】
なお、上述した各種データの構成及びその内容はこれに限定されるものではなく、用途や目的に応じて、さまざまな構成や内容となることは言うまでもない。
【０１３８】
また、本発明におけるプログラムは、図３〜図５、図１３、図１４の処理方法をコンピュータが実行可能なプログラムである。なお、本発明におけるプログラムは、図３〜図５、図１３、図１４の各処理方法ごとのプログラムであっても良い。
【０１３９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１４０】
この場合、記録媒体から読み出されたプログラム自体が本発明の新規な機能を実現することになり、そのプログラムを記録した記録媒体は本発明を構成することになる。
【０１４１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１４２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４４】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１４５】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１４６】
１０１  情報処理装置
１０２  サーバ装置
１０３  携帯記録媒体
１０４  健診機器
１０５  受付端末
１０６  管理端末
【図１】
0006643695.tif 000002
【図２】
0006643695.tif 000003
【図３】
0006643695.tif 000004
【図４】
0006643695.tif 000005
【図５】
0006643695.tif 000006
【図６】
0006643695.tif 000007
【図７】
0006643695.tif 000008
【図８】
0006643695.tif 000009
【図９】
0006643695.tif 000010
【図１０】
0006643695.tif 000011
【図１１】
0006643695.tif 000012
【図１２】
0006643695.tif 000013
【図１３】
0006643695.tif 000014
【図１４】
0006643695.tif 000015